(57)【要約】【課題】  使用しない場合、表示部を保護して、表示部が傷付いたり汚れるのを防止し、使用する場合、簡単な操作で、迅速かつスムーズな撮影準備が行える撮像表示装置を提供する。【解決手段】  撮像する際に被写体に向けられる表面側本体２と、表面側本体２の裏面側に設けられる裏面側本体３とを有し、表面側本体２は、裏面側本体３に、表裏方向の軸心回りに回動自在に結合され、表面側本体２に、裏面側本体３に設けたレンズを表面側本体２の表面側に露出させる開口部が形成され、表面側本体２の裏面に液晶表示画面１１が設けられ、表面側本体２が裏面側本体３と重り合う第１位置では、液晶表示画面１１が裏面側本体３で覆われ、表面側本体２が第１位置から９０°回動した第２位置Ｐ２では、液晶表示画面１１が表面側本体２の裏側へ露出するように配設されている。【選択図】  図２
2006148721.tif 000002
【特許請求の範囲】
【請求項１】
撮像する際に被写体に向けられる表面側本体と、この表面側本体とは別体で且つ表面側本体の裏面側に設けられる裏面側本体とを有し、
表面側本体は、裏面側本体に、表裏方向の軸心回りに回動自在に結合されており、
裏面側本体に撮像用のレンズが設けられ、
表面側本体に、レンズを表面側本体の表面側に露出させる開口部が形成され、
表面側本体の裏面に表示部が設けられ、
表面側本体が裏面側本体と重なり合う第１位置では、表示部が裏面側本体で覆われ、表面側本体が前記第１位置から所定角度回動した第２位置では、表示部が表面側本体の裏側へ露出するように配設されたことを特徴とする撮像表示装置。
【請求項２】
表面側本体に、レンズを覆う開閉自在なカバーが設けられ、
第１位置では前記カバーが閉じられ、第２位置では前記カバーが開いてレンズが露出するように、表面側本体の回動とカバーの開閉とを連動させる連動機構が設けられていることを特徴とする請求項１記載の撮像表示装置。
【請求項３】
裏面側本体に操作部が設けられていることを特徴とする請求項１又は請求項２記載の撮像表示装置。
【請求項４】
表面側本体の裏面に操作部が設けられ、
第１位置では、前記操作部が裏面側本体で覆われ、第２位置では、前記操作部が表面側本体の裏側へ露出するように配設されたことを特徴とする請求項１又は請求項２記載の撮像表示装置。
【発明の詳細な説明】
【技術分野】
【０００１】
本発明は、例えば半導体ムービーやデジタルスチルカメラ等のように、撮像部と表示部とを有する撮像表示装置に関する。
【背景技術】
【０００２】
近年、半導体ムービーやデジタルスチルカメラ等の小型の撮像装置においては、影像を表示する液晶表示画面（表示部）が備えられているものが主流となっている。この液晶表示画面は、撮像装置の本体に設けられ、いつでも見ることが可能なように常に外側へ露出している。
【０００３】
しかしながら、前記のような撮像装置では、液晶表示画面が常に露出しているため、液晶表示画面が汚れたり傷付き易いといった問題があった。
このような問題の対策として、図１５，図１６に示すように、液晶表示画面５１を備えた画面部５２を、本体部５３に対して折畳み可能にしたカメラ装置５４がある（下記特許文献１参照）。
【０００４】
前記本体部５３には、回転軸心５５の回りに回転自在な円形回転部５６と、レンズおよびＣＣＤからなる撮像部５７とが設けられている。また、前記画面部５２は、ヒンジピン５８を介して円形回転部５６に設けられており、本体部５３に対して円形回転部５６により回転可能であるとともに、ヒンジピン５８を支点として１８０°の範囲で展開及び折畳み可能である。尚、前記液晶表示画面５１は画面部５２の裏面に設けられている。
【０００５】
これによると、カメラ装置５４を使用しない場合、画面部５２を本体部５３と重なり合う折畳み位置Ｑ１に折畳むことにより、液晶表示画面５１が本体部５３に対面して覆われる。これにより、液晶表示画面５１が本体部５３によって保護され、液晶表示画面５１が傷付いたり汚れたりすることを防止することができる。
【０００６】
また、カメラ装置５４を使用する場合、図１６の仮想線で示すように、先ず、ヒンジピン５８を支点として、画面部５２を折畳み位置Ｑ１から矢印６０の方向へ９０°起して中間位置Ｑ２まで揺動させる。次に、円形回転部５６を介して、画面部５２を回転軸心５５の回りに１８０°回転させる。その後、ヒンジピン５８を支点として、画面部５２を中間位置Ｑ２からさらに矢印６０の方向へ９０°起して展開位置Ｑ３まで揺動させる。
【０００７】
これにより、図１６の実線で示すように、液晶表示画面５１が被写体とは反対側の裏面側に向き、液晶表示画面５１をビューファインダーとして見ながら撮像部５７により撮影が行える。尚、画面部５２を展開位置Ｑ３から折畳み位置Ｑ１へ折畳む場合は、前記とは逆の手順を行えばよい。
【特許文献１】特開平１０−１９１１１７
【発明の開示】
【発明が解決しようとする課題】
【０００８】
しかしながら前記の従来形式では、画面部５２を折畳み位置Ｑ１から展開位置Ｑ３まで展開して撮影可能な状態にするには、画面部５２を矢印６０の方向へ揺動させる操作と、画面部５２を回転軸心５５の回りに１８０°回転させる反転操作との２種類の操作が必要となるため、操作に手間がかかり、迅速かつスムーズな撮影準備ができないといった問題があり、撮影チャンスを逃がしてしまう恐れがあった。
【０００９】
本発明は、使用しない場合、表示部を保護して、表示部が傷付いたり汚れるのを防止することができ、使用する場合、簡単な操作で、迅速かつスムーズな撮影準備が行える撮像表示装置を提供することを目的とする。
【課題を解決するための手段】
【００１０】
前記目的を達成するために、本第１発明における撮像表示装置は、撮像する際に被写体に向けられる表面側本体と、この表面側本体とは別体で且つ表面側本体の裏面側に設けられる裏面側本体とを有し、
表面側本体は、裏面側本体に、表裏方向の軸心回りに回動自在に結合されており、
裏面側本体に撮像用のレンズが設けられ、
表面側本体に、レンズを表面側本体の表面側に露出させる開口部が形成され、
表面側本体の裏面に表示部が設けられ、
表面側本体が裏面側本体と重なり合う第１位置では、表示部が裏面側本体で覆われ、表面側本体が前記第１位置から所定角度回動した第２位置では、表示部が表面側本体の裏側へ露出するように配設されたものである。
【００１１】
これによると、撮像表示装置を使用する場合、裏面側本体に対して表面側本体を第１位置から第２位置まで回動することにより、表示部が表面側本体の裏側へ露出する。これにより、撮影者は表示部をビューファインダーとして見ながら撮影することができる。このように、表面側本体を第１位置から第２位置まで回動するといった１種類の回動操作のみで撮影可能な状態になるため、迅速かつスムーズな撮影準備が行える。
【００１２】
また、撮像表示装置を使用しない場合、裏面側本体に対して表面側本体を第２位置から第１位置まで回動することにより、表面側本体が裏面側本体と重なり合って、表示部が裏面側本体で覆われる。これにより、表示部が裏面側本体によって保護されるため、表示部が傷付いたり汚れるのを防止することができる。
【００１３】
また、本第２発明における撮像表示装置は、表面側本体に、レンズを覆う開閉自在なカバーが設けられ、
第１位置では前記カバーが閉じられ、第２位置では前記カバーが開いてレンズが露出するように、表面側本体の回動とカバーの開閉とを連動させる連動機構が設けられているものである。
【００１４】
これによると、撮像表示装置を使用する場合、裏面側本体に対して表面側本体を第１位置から第２位置まで回動することにより、この回動操作に連動して、カバーが開き、レンズが露出して、撮影可能な状態になる。
【００１５】
また、撮像表示装置を使用しない場合、裏面側本体に対して表面側本体を第２位置から第１位置まで回動することにより、この回動操作に連動して、カバーが閉じ、レンズがカバーによって覆われる。これにより、レンズが傷付いたり汚れるのを防止することができる。
【００１６】
また、本第３発明における撮像表示装置は、裏面側本体に操作部が設けられているものである。
これによると、撮像表示装置を使用する場合、裏面側本体に対して表面側本体を第１位置から第２位置まで回動することにより、撮影者は表面側本体の裏側へ露出した表示部をビューファインダーとして見るとともに操作部を操作しながら撮影することができる。
【００１７】
また、本第４発明における撮像表示装置は、表面側本体の裏面に操作部が設けられ、
第１位置では、前記操作部が裏面側本体で覆われ、第２位置では、前記操作部が表面側本体の裏側へ露出するように配設されたものである。
【００１８】
これによると、撮像表示装置を使用する場合、裏面側本体に対して表面側本体を第１位置から第２位置まで回動することにより、表示部と操作部とが表面側本体の裏側へ露出する。これにより、撮影者は表示部をビューファインダーとして見るとともに操作部を操作しながら撮影することができる。
【００１９】
また、撮像表示装置を使用しない場合、裏面側本体に対して表面側本体を第２位置から第１位置まで回動することにより、表面側本体が裏面側本体と重なり合って、表示部と操作部とが裏面側本体で覆われる。これにより、表示部と操作部とが裏面側本体によって保護されるため、表示部と操作部とが傷付いたり汚れるのを防止することができ、また、塵埃が操作部から内部へ侵入するのを防ぐことができる。
【発明の効果】
【００２０】
以上のように、本第１発明によると、使用時において、表面側本体を第１位置から第２位置まで回動するといった１種類の回動操作のみで撮影可能な状態になるため、迅速かつスムーズな撮影準備が行え、撮影チャンスを逃がしてしまうのを防止することができる。
【００２１】
さらに、不使用時において、表面側本体を第２位置から第１位置まで回動することにより、表示部が裏面側本体によって保護されるため傷付いたり汚れるのを防止することができる。
【００２２】
また、本第２発明によると、不使用時において、裏面側本体に対して表面側本体を第２位置から第１位置まで回動することにより、レンズが閉じたカバーによって覆われるため、レンズが傷付いたり汚れるのを防止することができる。
【００２３】
また、本第３発明によると、撮影者は、表面側本体の裏側へ露出した表示部をビューファインダーとして見るとともに操作部を操作しながら、撮像表示装置を使って撮影することができる。
【００２４】
また、本第４発明によると、使用時において、表面側本体を第１位置から第２位置まで回動することにより、表示部と操作部とが表面側本体の裏側へ露出し、撮影者は、表示部をビューファインダーとして見るとともに操作部を操作しながら、撮像表示装置を使って撮影することができる。また、不使用時において、表面側本体を第２位置から第１位置まで回動することにより、表示部と操作部とが裏面側本体で覆われるため、表示部と操作部とが傷付いたり汚れるのを防止することができ、また、塵埃が操作部から内部へ侵入するのを防ぐことができる。
【発明を実施するための最良の形態】
【００２５】
以下、本発明における第１の実施の形態を図１〜図１３に基づいて説明する。
図１〜図９に示すように、１は撮像表示装置であり、撮像する際に被写体に向けられる表面側本体２と、この表面側本体２とは別体で且つ表面側本体２の裏面側に設けられる裏面側本体３とを有している。表面側本体２と裏面側本体３とはそれぞれほぼ四角形の板状に形成されており、表面側本体２は、裏面側本体３に、表裏方向の軸心４の回りに回動自在に結合されている。また、裏面側本体３には、撮像用のレンズ７と操作部８とが設けられている。表面側本体２には、レンズ７を表面側本体２の表面側（前面側）に露出させる開口部９と、レンズ７を覆う開閉自在なカバー１０とが設けられている。さらに、図２，図４に示すように、表面側本体２の裏面には、撮影時の被写体や撮影後の再生画像等を表示する液晶表示画面１１（表示部の一例）が設けられている。
【００２６】
前記表面側本体２と裏面側本体３との結合部分の構成を以下に説明する。
すなわち、図１０，図１１に示すように、裏面側本体３の表面には、前方へ突出した円筒状の結合筒体１４が形成され、この結合筒体１４の先端部には、径方向外側へ張り出したフック１５が形成されている。尚、フック１５は、結合筒体１４の周方向における複数箇所（図１１では３箇所）に、所定角度おきに形成されている。前記結合筒体１４の先端部は表面側本体２の裏面に形成された結合孔１６に挿入されている。結合孔１６の内周縁には、軸心４の方向においてフック１５に係合する係合部１７が全周にわたり形成されている。これにより、表面側本体２と裏面側本体３とが結合されるとともに、表面側本体２は、軸心４を回動中心として、裏面側本体３に重なり合う第１位置Ｐ１（図５参照）と、第１位置Ｐ１から９０°（所定角度の一例）だけ左右一方へ回動した第２位置Ｐ２（図１参照）との範囲で回動自在となる。
【００２７】
尚、前記液晶表示画面１１は、図６に示すように表面側本体２を第１位置Ｐ１まで回動した場合、裏面側本体３で覆われ、図２に示すように表面側本体２を第２位置Ｐ２まで回動した場合、表面側本体２の裏側へ露出するように配設されている。
【００２８】
また、図１０に示すように、前記レンズ７は、裏面側本体３内に固定され且つ前記結合筒体１４内に挿入された円筒状の支持部材１９の先端に取付けられている。尚、レンズ７の中心および開口部９の中心は、前記表面側本体２の回動中心となる軸心４上に位置している。
【００２９】
図１０，図１２に示すように、前記開口部９は表面側本体２の表面側に形成されており、前記カバー１０は表面側本体２内に設けられて、開口部９を開閉する。前記カバー１０は、２分割された半円状のカバー片１０ａ，１０ｂからなる。このうち、一方のカバー片１０ａは、その下部が支軸２１ａを介して表面側本体２に接合され、支軸２１ａを中心として回動自在である。また、他方のカバー片１０ｂは、その上部が支軸２１ｂを介して表面側本体２に接合され、支軸２１ｂを中心として回動自在である。
【００３０】
図１０〜図１３に示すように、表面側本体２内には、表面側本体２の回動に連動して前記カバー１０を開閉させる連動機構２３が設けられている。連動機構２３は、カバー１０の背後に対向配置された円環状の案内板２４と、この案内板２４を裏面側本体３の結合筒体１４に固定する円筒状の取付部材２５とを備えている。
【００３１】
両カバー片１０ａ，１０ｂにはそれぞれ、裏面側へ突出した案内ピン２６ａ，２６ｂが設けられている。これら案内ピン２６ａ，２６ｂはそれぞれ、前記案内板２４に形成された周方向の案内溝２７ａ，２７ｂに挿入され案内される。これら両案内溝２７ａ，２７ｂはそれぞれ一端部Ａから反時計回りの方向に向かって次第に中心部（軸心４）から径方向へ遠ざかるように形成されており、他端部Ｂは一端部Ａよりも径方向において外側に位置している。図１３（ａ）に示すように、カバー１０が閉じた場合、両案内ピン２６ａ，２６ｂがそれぞれ両案内溝２７ａ，２７ｂの一端部Ａに位置し、図１３（ｂ）に示すように、カバー１０が開いた場合、両案内ピン２６ａ，２６ｂがそれぞれ両案内溝２７ａ，２７ｂの他端部Ｂに位置する。
【００３２】
図２に示すように、裏面側本体３の前記操作部８には、複数の操作ボタン８ａ〜８ｅとジョグボール８ｆとが設けられている。また、裏面側本体３の一側面には電源スイッチ２９が設けられている。
【００３３】
図３，図７に示すように、裏面側本体３にはフラッシュ発光部３１が設けられており、表面側本体２には、表面側本体２を第２位置Ｐ２まで回動した場合、フラッシュ発光部３１の位置と一致してフラッシュ発光部３１の光を通過させるフラッシュ用開口部３２が形成されている。
【００３４】
尚、表面側本体２は第１位置Ｐ１と第２位置Ｐ２とにおいてそれぞれ裏面側本体３に係合して第１位置Ｐ１と第２位置Ｐ２とに保持されるように構成されており、回動方向へ所定以上の回転力を与えることによって、前記係合が解除され、表面側本体２が裏面側本体３に対して回動する。
【００３５】
以下、前記構成における作用を説明する。
撮像表示装置１を使用する場合、電源スイッチ２９をオンにし、図１〜図４に示すように、裏面側本体３に対して表面側本体２を第１位置Ｐ１から第２位置Ｐ２まで一方向Ｃへ回動する。この回動操作に連動して、図１３（ｂ）に示すように、一方のカバー片１０ａの案内ピン２６ａが案内板２４の一方の案内溝２７ａに案内されて一端部Ａから他端部Ｂへ移動するとともに、他方のカバー片１０ｂの案内ピン２６ｂが案内板２４の他方の案内溝２７ｂに案内されて一端部Ａから他端部Ｂへ移動する。これにより、両カバー片１０ａ，１０ｂはそれぞれ各支軸２１ａ，２１ｂを中心にして互いに軸心４から遠ざかる方向へ回動し、カバー１０が開き、レンズ７が露出して、撮影可能な状態になる。
【００３６】
さらに、前記第２位置Ｐ２においては、図２，図４に示すように、液晶表示画面１１が表面側本体２の裏側（背後）へ露出するため、撮影者は、液晶表示画面１１をビューファインダーとして見るとともに操作ボタン８ａ〜８ｅ等を操作しながら撮影したり、或いは、撮影した影像を液晶表示画面１１に再生することができる。このように、表面側本体２を第１位置Ｐ１から第２位置Ｐ２まで回動するといった１種類の回動動作のみで撮影可能な状態になるため、迅速かつスムーズな撮影準備が行える。
【００３７】
また、図３に示すように、前記第２位置Ｐ２においては、フラッシュ用開口部３２がフラッシュ発光部３１の位置と一致するため、フラッシュ発光部３１から発せられた光がフラッシュ用開口部３２を通過して被写体へ照射される。
【００３８】
撮像表示装置１を使用しない場合、電源スイッチ２９をオフにし、図５〜図８に示すように、裏面側本体３に対して表面側本体２を第２位置Ｐ２から第１位置Ｐ１まで他方向Ｄへ回動する。この回動操作に連動して、図１３（ａ）に示すように、前記一方の案内ピン２６ａが一方の案内溝２７ａに案内されて他端部Ｂから一端部Ａへ移動するとともに、前記他方の案内ピン２６ｂが他方の案内溝２７ｂに案内されて他端部Ｂから一端部Ａへ移動する。これにより、両カバー片１０ａ，１０ｂはそれぞれ各支軸２１ａ，２１ｂを中心にして互いに軸心４へ接近する方向へ回動し、カバー１０が閉じ、レンズ７がカバー１０によって覆われる。したがって、レンズ７が傷付いたり汚れるのを防止することができる。
【００３９】
さらに、前記第１位置Ｐ１においては、図６，図８に示すように、表面側本体２が裏面側本体３と重なり合って、液晶表示画面１１が裏面側本体３で覆われる。これにより、液晶表示画面１１が裏面側本体３によって保護されるため、液晶表示画面１１が傷付いたり汚れるのを防止することができる。
【００４０】
また、図７に示すように、前記第１位置Ｐ１においては、フラッシュ発光部３１が表面側本体２で覆われて保護されるため、フラッシュ発光部３１が傷付いたり汚れるのを防止することができる。
【００４１】
前記第１の実施の形態では、図２に示すように、操作部８を裏面側本体３に設けているが、次に説明する第２の実施の形態では、図１４に示すように、操作部８を表面側本体２の裏面に設けている。この操作部８には、複数の操作ボタン８ａ〜８ｅとジョグボール８ｆとが設けられている。
【００４２】
これにより、操作部８は、表面側本体２を第１位置Ｐ１まで回動した場合、液晶表示画面１１と共に裏面側本体３で覆われ、表面側本体２を第２位置Ｐ２まで回動した場合、液晶表示画面１１と共に表面側本体２の裏側（背後）へ露出するように配設されている。
【００４３】
以下、前記構成における作用を説明する。
撮像表示装置１を使用する場合、図１４に示すように、裏面側本体３に対して表面側本体２を第１位置Ｐ１から第２位置Ｐ２まで回動することにより、液晶表示画面１１と操作部８とが表面側本体２の裏側へ露出する。このため、撮影者は、液晶表示画面１１をビューファインダーとして見るとともに操作部８の操作ボタン８ａ〜８ｅ等を操作しながら撮影したり、或いは、撮影した影像を液晶表示画面１１に再生することができる。
【００４４】
また、撮像表示装置１を使用しない場合、裏面側本体３に対して表面側本体２を第２位置Ｐ２から第１位置Ｐ１まで回動することにより、表面側本体２が裏面側本体３と重なり合って、液晶表示画面１１と操作部８とが裏面側本体３で覆われる。これにより、液晶表示画面１１と操作部８の操作ボタン８ａ〜８ｅやジョグボール８ｆとが裏面側本体３によって保護されるため、液晶表示画面１１と操作ボタン８ａ〜８ｅやジョグボール８ｆとが傷付いたり汚れるのを防止することができ、また、塵埃が操作ボタン８ａ〜８ｅやジョグボール８ｆから内部へ侵入するのを防ぐことができる。
【００４５】
尚、前記第２の実施の形態では、操作部８の全てを表面側本体２の裏側に設けたが、操作部８の一部又は全てを表面側本体２の裏側と裏面側本体３とに設けてもよい。
前記各実施の形態では、図３の実線で示すように、第１位置Ｐ１から９０°だけ左右一方へ回動した位置を第２位置Ｐ２としているが、仮想線で示すように、第２位置Ｐ２を反対方向の左右他方へ回動した位置にしてもよい。また、回動角度を９０°としているが、９０°に限定されるものではない。
【００４６】
前記各実施の形態では、電源スイッチ２９を手動操作でオン・オフしているが、表面側本体２を第２位置Ｐ２まで回動した際に、電源が自動的にオンされ、表面側本体２を第１位置Ｐ１まで回動した際に、電源が自動的にオフされるようにしてもよい。
【産業上の利用可能性】
【００４７】
本発明は、液晶表示画面等の表示部を備えた半導体ムービーやデジタルスチルカメラ等に適用することができる。
【図面の簡単な説明】
【００４８】
【図１】本発明の第１の実施の形態における撮像表示装置の正面の斜視図であり、表面側本体を第２位置まで回動した状態を示す。
【図２】同、撮像表示装置の背面の斜視図であり、表面側本体を第２位置まで回動した状態を示す。
【図３】同、撮像表示装置の正面図であり、表面側本体を第２位置まで回動した状態を示す。
【図４】同、撮像表示装置の背面図であり、表面側本体を第２位置まで回動した状態を示す。
【図５】同、撮像表示装置の正面の斜視図であり、表面側本体を第１位置まで回動した状態を示す。
【図６】同、撮像表示装置の背面の斜視図であり、表面側本体を第１位置まで回動した状態を示す。
【図７】同、撮像表示装置の正面図であり、表面側本体を第１位置まで回動した状態を示す。
【図８】同、撮像表示装置の背面図であり、表面側本体を第１位置まで回動した状態を示す。
【図９】同、撮像表示装置の側面図である。
【図１０】同、撮像表示装置の表面側本体と裏面側本体との結合部分の断面図である。
【図１１】図１０におけるＸ−Ｘ矢視図である。
【図１２】同、撮像表示装置のカバーと連動機構との斜視図である。
【図１３】同、撮像表示装置のカバーと連動機構との正面図であり、（ａ）は表面側本体が第１位置まで回動してカバーが閉じた状態を示し、（ｂ）は表面側本体が第２位置まで回動してカバーが開いた状態を示す。
【図１４】本発明の第２の実施の形態における撮像表示装置の背面図であり、表面側本体を第２位置まで回動した状態を示す。
【図１５】従来の撮像表示装置の正面図であり、画面部を折畳んだ状態を示す。
【図１６】同、撮像表示装置の側面図であり、画面部を展開した状態を示す。
【符号の説明】
【００４９】
１      撮像表示装置
２      表面側本体
３      裏面側本体
４      軸心
７      レンズ
８      操作部
９      開口部
１０    カバー
１１    液晶表示画面（表示部）
Ｐ１    第１位置
Ｐ２    第２位置
【図１】
2006148721.tif 000003
【図２】
2006148721.tif 000004
【図３】
2006148721.tif 000005
【図４】
2006148721.tif 000006
【図５】
2006148721.tif 000007
【図６】
2006148721.tif 000008
【図７】
2006148721.tif 000009
【図８】
2006148721.tif 000010
【図９】
2006148721.tif 000011
【図１０】
2006148721.tif 000012
【図１１】
2006148721.tif 000013
【図１２】
2006148721.tif 000014
【図１３】
2006148721.tif 000015
【図１４】
2006148721.tif 000016
【図１５】
2006148721.tif 000017
【図１６】
2006148721.tif 000018